(57)【特許請求の範囲】
【請求項１】
複数の素電池(1)を収納する収納部(4)を有する第１の電池ホルダー(3A)及び第２の電池ホルダー(3B)と、前記第１の電池ホルダー(3A)及び前記第２の電池ホルダー(3B)の収納部(4)にセットしてなる素電池(1)と備え、
前記第１の電池ホルダー(3A)及び前記第２の電池ホルダー(3B)は、同じ電池ホルダーであり、かつａ個（ａは３以上の整数）の素電池(1)を並列に接続してなる第１の電池ユニット(8)を構成する全ての素電池(1)を収納する全体収納部(6)と、第２の電池ユニット(8)を構成するｂ個（ｂはａ／２以上の整数）の素電池(1)を収納可能な一部収納部(7)とを備え、
前記第１の電池ホルダー(3A)及び前記第２の電池ホルダー(3B)の全体収納部(6)に収納してなるａ個の素電池(1)が互いに並列に接続されて前記第１の電池ユニット(8)を構成し、
さらに、前記第１の電池ホルダー(3A)の一部収納部(7)にｂ個の素電池(1)を収納し、前記第２の電池ホルダー(3B)の一部収納部(7)に（ａ−ｂ）個の素電池(1)を収納して、前記第１の電池ホルダー(3A)及び第２の電池ホルダー(3B)の一部収納部(7)に収納してなるａ個の素電池(1)が並列に接続されて前記第２の電池ユニット(8)を構成しており、
前記第１の電池ホルダー(3A)及び前記第２の電池ホルダー(3B)の収納部(4)に収納してなる素電池(1)で構成される前記第１の電池ユニット(8)及び前記第２の電池ユニット(8)が互いに直列に接続されてなるバッテリパック。
【請求項２】
前記第２の電池ホルダー(3B)の一部収納部(7)の一部が、素電池(1)が収納されない空収納部(4X)とされてなる請求項１に記載されるバッテリパック。
【請求項３】
前記収納部(4)に素電池(1)を収納してなる前記第１の電池ホルダー(3A)及び前記第２の電池ホルダー(3B)が連結されて電池ブロック(2)を構成しており、
さらに、複数の前記電池ブロック(2)が、直列又は並列に接続されてなる請求項１又は２に記載されるバッテリパック。
【請求項４】
前記第１の電池ユニット(8)及び前記第２の電池ユニット(8)が、３個ないし９個のいずれかの奇数個の素電池(1)で構成されてなる請求項１ないし３のいずれかに記載されるバ
ッテリパック。
【請求項５】
前記第１の電池ホルダー(3A)及び前記第２の電池ホルダー(3B)が、収納してなる素電池(1)の長手方向に連結されてなる請求項１ないし４のいずれかに記載されるバッテリパック。
【請求項６】
前記空収納部(4X)が前記第２の電池ホルダー(3B)の中央部に配置されてなる請求項２ないし５のいずれかに記載されるバッテリパック。
【請求項７】
前記第１の電池ホルダー(3A)及び前記第２の電池ホルダー(3B)の収納部(4)にセットしてなる素電池(1)が円筒形電池である請求項１ないし６のいずれかに記載されるバッテリパック。
【発明の詳細な説明】
【技術分野】
【０００１】
本発明は、複数の素電池を電池ホルダーに収納しているバッテリパックに関し、とくに、電池ホルダーに収納している奇数個の素電池を並列に接続して奇数電池ユニットとし、さらに奇数電池ユニットを直列に接続して出力電圧を高くしてなるバッテリパックに関する。
【背景技術】
【０００２】
複数の素電池からなるバッテリパックは、複数の素電池を並列に接続して出力電流を大きく、直列に接続して出力電圧を高くできる。バッテリパックは、素電池を並列に接続する個数と、直列に接続する個数とを調整することで、種々の用途に最適な電気特性にできる。たとえば、アシスト自転車の電源に使用されるバッテリパックは、素電池を直列に接続する個数で出力を、並列に接続する個数で走行距離を最適値にコントロールできる。
【０００３】
素電池が直列に接続される個数と並列に接続される個数とを調整するバッテリパックは開発されている。（特許文献１参照）
【０００４】
以上のバッテリパックは、図９と図１０に示すように、複数の電池ブロック９２をリード板９５で連結して直線状に配置している。さらに、このバッテリパックは、電池ブロック９２を、３組以上の奇数組の並列ユニット９８で構成している。電池ブロック９２は、奇数組の並列ユニット９８を横一列に連結している。並列ユニット９８は、両端を端面電極９１Ａとする複数の素電池９１を互いに平行な姿勢に配置して、素電池９１両端の端面電極９１Ａに接続しているリード板９５で素電池１を並列に接続している。電池ブロック９２は、隣接して配置している並列ユニット９８を、並列ユニット９８を構成する素電池９１を並列に接続しているリード板９５で直列に接続している。電池ブロック９２は、対角位置に配置しているリード板９５を中間で折曲して、折曲部９５ｂの両側の接続片９５ｃで、隣接する電池ブロック９２の並列ユニット９８を直列に接続している。
【先行技術文献】
【特許文献】
【０００５】
【特許文献１】特開２０１１−２１６３６６号公報
【発明の概要】
【発明が解決しようとする課題】
【０００６】
以上のバッテリパックは、直列に接続する電池ブロックの数で出力電圧を変更しながら、電池ブロックを構成する並列ユニットの数で横幅を自由に調整して、用途に最適な外形にできる。それは以上のバッテリパックが、横一列に連結している３組以上である奇数組の並列ユニットを備える複数の電池ブロックを直線状に配置して、各々の電池ブロックにおいては、隣接して配置している並列ユニットをリード板で直列に接続すると共に、対角位置に配置するリード板を中間で折曲して、折曲部の両側の接続片で、隣接する電池ブロックの並列ユニットを直列に接続しているからである。このバッテリパックは、各々の電池ブロックを構成する並列ユニットの数で横幅を自由に調整しながら、直線状に連結する電池ブロックの数で全長と出力電圧とを調整して、用途に最適な外形としながら出力電圧を変更できる。
【０００７】
しかしながら、以上のバッテリパックは、各々の電池ブロックに同じ個数の素電池を収納して同じように接続して複数の並列ユニットとするので、素電池を並列に接続する個数が特定されて、種々の組み合わせを実現できない欠点がある。
【０００８】
本発明は、さらに以上の欠点を解決することを目的に開発されたものである。本発明の重要な目的は、同じ電池ホルダーを使用しながら、並列接続される素電池の個数を調整でき、用途に最適な個数の素電池を並列に接続して、電池ホルダーの外形を変更することなく用途に最適な出力特性にできるバッテリパックを提供することにある。
【課題を解決するための手段及び発明の効果】
【０００９】
本発明のバッテリパックは、複数の素電池１を収納する収納部４を有する第１の電池ホルダー３Ａ及び第２の電池ホルダー３Ｂと、第１の電池ホルダー３Ａ及び第２の電池ホルダー３Ｂの収納部４にセットしてなる素電池１と備えている。第１の電池ホルダー３Ａ及び第２の電池ホルダー３Ｂは、同じ電池ホルダーであり、かつａ個（ａは３以上の整数）の素電池１を並列に接続してなる第１の電池ユニット８を構成する全ての素電池１を収納する全体収納部６と、第２の電池ユニット８を構成するａ個の素電池１を収納可能な一部収納部７とを備えている。第１の電池ホルダー３Ａ及び第２の電池ホルダー３Ｂの全体収納部６に収納してなるａ個の素電池１は、互いに並列に接続されて第１の電池ユニット８を構成している。さらに、第１の電池ホルダー３Ａの一部収納部７にｂ個の素電池１を収納し、第２の電池ホルダー３Ｂの一部収納部７に（ａ−ｂ）個の素電池１を収納して、第１の電池ホルダー３Ａ及び第２の電池ホルダー３Ｂの一部収納部７に収納してなるａ個の素電池１を並列に接続して第２の電池ユニット８を構成している。バッテリパックは、第１の電池ホルダー３Ａ及び第２の電池ホルダー３Ｂの収納部４に収納してなる素電池１で構成される第１の電池ユニット８及び第２の電池ユニット８を互いに直列に接続している。
また、本発明のバッテリパックは、第２の電池ホルダー３Ｂの一部収納部７の一部が、素電池１が収納されない空収納部４Ｘとすることができる。
【００１０】
以上のバッテリパックは、同じ電池ホルダーを使用しながら、並列接続される素電池の個数を調整して、用途に最適な個数に素電池を並列接続し、電池ホルダーの外形を変更することなく用途に最適な出力特性にできる特徴がある。それは、第２の電池ユニットを構成する素電池を第１の電池ホルダー及び第２の電池ホルダーに分割して収納すると共に、第１の電池ホルダー及び第２の電池ホルダーに同じ個数の素電池を収納することなく、片方の電池ホルダーに１個少なく素電池を収納するからである。また、一方の電池ホルダーには、電池が収納されない空収納部ができるので、この部分を放熱スペースとすることで、素電池の放熱をより効果的にできる特徴も実現する。
【００１１】
本発明のバッテリパックは、収納部４に素電池１を収納してなる第１の電池ホルダー３Ａ及び第２の電池ホルダー３Ｂを連結して電池ブロック２を構成し、さらに、複数の電池ブロック２が、直列又は並列に接続することができる。
以上のバッテリパックは、連結する電池ブロック２の個数を調整して、用途に最適な出力電圧や出力電流にできる特徴がある。
【００１２】
本発明のバッテリパックは、第１の電池ユニット８及び第２の電池ユニット８を、３個ないし９個のいずれかの奇数個の素電池１で構成することができる。
以上のバッテリパックは、並列接続される素電池で出力電流を用途に最適な容量にできる。
【００１３】
本発明のバッテリパックは、第１の電池ホルダー３Ａ及び第２の電池ホルダー３Ｂを、収納してなる素電池１の長手方向に連結することができる。
以上のバッテリパックは、第１の電池ホルダーと第２の電池ホルダーを直線状に連結することで、全体を細くしながら、充放電容量を大きくできる。
【００１４】
本発明のバッテリパックは、空収納部４Ｘを第２の電池ホルダー３Ｂの中央部に配置することができる。
以上のバッテリパックは、空収納部を内部に配置するので、電池ホルダー内部の発熱量を少なくできる。このため、各々の素電池の放熱差を少なくして温度差を少なくし、素電池の劣化や電気特性の低下等のアンバランスを少なくできる。
【００１５】
本発明のバッテリパックは、第１の電池ホルダー３Ａ及び第２の電池ホルダー３Ｂの収納部４にセットされる素電池１を円筒形電池とすることができる。
以上のバッテリパックは、細長い円筒状の電池をスペース効率よく電池ホルダーに収納して組み立てできる。
【図面の簡単な説明】
【００１６】
【図１】本発明の一実施の形態にかかるバッテリパックの斜視図である。
【図２】図１に示すバッテリパックの分解斜視図である。
【図３】図２に示すバッテリパックを背面から見た分解斜視図である。
【図４】図２に示すバッテリパックの分解斜視図である。
【図５】電池ホルダーの分解斜視図である。
【図６】図５に示す電池ホルダーを背面から見た分解斜視図である。
【図７】第１の電池ホルダーの横断面図である。
【図８】第２の電池ホルダーの横断面図である。
【図９】従来のバッテリパックの分解斜視図である。
【図１０】図９に示すバッテリパックの電池ホルダーの分解斜視図である。
【発明を実施するための形態】
【００１７】
以下、本発明の実施例を図面に基づいて説明する。ただし、以下に示す実施例は、本発明の技術思想を具体化するためのバッテリパックを例示するものであって、本発明はバッテリパックを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
本発明のバッテリパックは、主として電動の乗り物に装着されて、駆動用のモータに電力を供給する。本発明は、たとえば、アシスト自転車、電動バイク、電動車椅子、電動三輪車、電動カート等の電源として使用される。ただ、本発明はバッテリパックの用途を特定するものではなく、複数の素電池から電力を供給する種々の電気機器用の電源として使用することもできる。
【００１９】
図１ないし図８に示すバッテリパックは２組の電池ブロック２を備え、２組の電池ブロック２を長手方向に直線状に連結している。電池ブロック２は、第１の電池ホルダー３Ａ及び第２の電池ホルダー３Ｂを備え、第１の電池ホルダー３Ａと第２の電池ホルダー３Ｂを長手方向に連結して、各々の電池ホルダー３の収納部４に素電池１を収納している。以上のバッテリパックは、２組の電池ブロック２を備えるが、本発明のバッテリパックは、１組の電池ブロックで構成することができ、また、３組以上の電池ブロックを長手方向に、あるいは横方向に連結する構造とすることもできる。
【００２０】
（電池ホルダー３）
第１の電池ホルダー３Ａ及び第２の電池ホルダー３Ｂは、絶縁材のプラスチックを同じ形状に成形して、内部に素電池１の収納部４を設けている。収納部４は、ここにセットされる素電池１を定位置に保持する。図のバッテリパックは、素電池１を円筒形電池として、収納部４の内形を、円筒形電池を挿入して定位置に保持する形状としている。ただし、本発明は、素電池を必ずしも円筒形電池に特定せず、例えば、角形電池とすることもできる。素電池１は、リチウムイオン電池である。ただ、素電池にはリチウムポリマー電池、ニッケル水素電池、ニッケルカドミウム電池など充電できる全ての電池とすることができる。
【００２１】
図５と図６に示す電池ホルダー３は、一対のセルホルダー３ａ、３ｂに分割して成形している。各々のセルホルダー３ａ、３ｂは、プラスチックを成形して、内部に複数の収納部４を設けている。セルホルダー３ａ、３ｂは、素電池１を平行な姿勢で挿入する収納部４を設けている。収納部４は、円筒形電池を挿入して定位置に配置できる円筒状としている。収納部４は、両端を開口して、ここに挿入される円筒形電池の端面電極を露出させて、リード板５をスポット溶接等の方法で接続している。電池ホルダー３は、２組のセルホルダー３ａ、３ｂを円筒形電池の長手方向に連結している。セルホルダー３ａ、３ｂの収納部４は、素電池１の半分を挿入できる長さであって、各々の素電池１は、半分を一方のセルホルダー３ａに、残りの半分を他方のセルホルダー３ｂに挿入して、電池ホルダー３の定位置に配置される。
【００２２】
一対のセルホルダー３ａ、３ｂは、対向面である内側端面に嵌着凸部１６と嵌入凹部１７とからなる嵌合部を設けて、互いに定位置に連結している。図５と図６に示す一対のセルホルダー３ａ、３ｂは、一方のセルホルダー３ａの対向面から突出する嵌着凸部１６を設けると共に、他方のセルホルダー３ｂの対向面には、この嵌着凸部１６を嵌入する嵌入凹部１７を設けている。図に示すセルホルダー３ａ、３ｂは、多段多列に配列される複数の収納部４の間であって、四角形の四隅に位置して設けられる４つの収納部４の間に位置して、嵌着凸部１６と嵌入凹部１７を設けている。この電池ホルダー３は、中央部に生じるデッドスペースを有効に利用して嵌着凸部１６と嵌入凹部１７を設けている。図に示す一対のセルホルダー３ａ、３ｂは、中央部の左右に位置して嵌着凸部１６と嵌入凹部１７とを対向して設けている。一対のセルホルダー３ａ、３ｂは、嵌着凸部１６と嵌入凹部１７とを嵌合させて相対位置がずれないように連結される。一対のセルホルダー３ａ、３ｂは、対向する収納部４に素電池１が挿入されるので、素電池１を介しても定位置に連結される。さらに、図に示すセルホルダー３ａ、３ｂは、嵌着凸部１６を嵌入凹部１７に圧入して離れないように連結している。したがって、嵌着凸部１６の外形は、嵌入凹部１７の内形にほぼ等しくし、あるいはやや大きく成形している。また、嵌着凸部１６と嵌入凹部１７は、一対のセルホルダー３ａ、３ｂを離れないように連結できる突出量と深さに成形している。この構造は、簡単な構造で一対のセルホルダー３ａ、３ｂを位置ずれしないように、しかも確実に離れないように連結できる。ただ、一対のセルホルダーは、係止構造で連結し、あるいは接着して連結し、あるいはまた、ネジ止めして連結されすることもできる。
【００２３】
さらに、電池ホルダー３は、図７と図８に示すように、電池ブロック２の全体を貫通する連結ロッド１１（詳細には後述する）を挿通する貫通孔１３を開口している。この貫通孔１３は、電池ホルダー３の中央部に位置して、多段多列に配列される複数の収納部４の間であって、四角形の四隅に位置して設けられる４つの収納部４の間に開口して設けている。この貫通孔１３も、電池ホルダー３の中央部にできるデッドスペースを有効に利用して設けることができる。図の貫通孔１３は、前述の嵌着凸部１６を貫通する状態で設けている。
【００２４】
さらに、図の電池ホルダー３は、互いに隣接する第１の電池ホルダー３Ａと第２の電池ホルダー３Ｂとを相対位置がずれないように連結するために、隣接する第１の電池ホルダー３Ａと第２の電池ホルダー３Ｂとの対向面に嵌合凸部１８と嵌合凹部１９とからなる嵌合部を設けている。図２ないし図６に示す電池ホルダー３は、第１の電池ホルダー３Ａと第２の電池ホルダー３Ｂの両端面であって、互いに対向する対向面に嵌合凸部１８と嵌合凹部１９とを対向して設けている。図に示す電池ホルダー３は、セルホルダー３ａの外側端面から突出する嵌合凸部１８を設けると共に、セルホルダー３ｂの外側端面には、この嵌合凸部１８を嵌入する嵌合凹部１９を設けている。図に示す電池ホルダー３は、多段多列に配列される複数の収納部４の間であって、四角形の四隅に位置して設けられる４つの収納部４の間に位置して嵌合凸部１８と嵌合凹部１９を設けている。すなわち、図に示す電池ホルダー３は、左右の両側に位置して、前述の嵌着凸部１６と嵌入凹部１７と対向する位置に嵌合凸部１８と嵌合凹部１９を設けている。この電池ホルダー３も、中央部に生じるデッドスペースを有効に利用して嵌合凸部１８と嵌合凹部１９を設けている。以上の第１の電池ホルダー３Ａと第２の電池ホルダー３Ｂは、一方のセルホルダー３ａから突出する嵌合凸部１８を他方のセルホルダー３ｂの嵌合凹部１９に嵌合させて相対位置がずれないように連結される。
【００２５】
（収納部４）
電池ホルダー３は、図５ないし図８に示すように、全体収納部６と一部収納部７からなる複数の収納部４を設けている。全体収納部６は、奇数個［（２ｎ＋１）、ただしｎは整数］の素電池１を並列に接続している奇数電池ユニット８を構成する全ての素電池１を収納する。したがって、全体収納部６は、奇数電池ユニット８を構成する素電池１と等しい数の収納部４を備えている。全体収納部６は、奇数個の素電池１を同じ方向に挿入し、両端にリード板５を接続して並列に接続している。一部収納部７は、奇数電池ユニット８を構成する一部の素電池１を収納する。したがって、一部収納部７は、奇数電池ユニット８を構成する奇数個の半分、すなわち（２ｎ＋１）／２よりも多数の収納部４を備えている。一部収納部７は、所定の数の素電池１を同じ方向に挿入し、両端にリード板５を接続して並列に接続している。
【００２６】
図５と図６の電池ブロック２は、５個の素電池１を並列に接続している奇数電池ユニット８を５組備え、第１の電池ホルダー３Ａ及び第２の電池ホルダー３Ｂに、合計２５個の素電池１を収納している。５個ずつの素電池１は、リード板５で並列に接続されて奇数電池ユニット８を構成している。
【００２７】
各々の電池ホルダー３は、２組の全体収納部６と、１組の一部収納部７を設けている。電池ブロック２が５組の奇数電池ユニット８を備えるので、各々の電池ホルダー３は、２組の奇数電池ユニット８と、１組の奇数電池ユニット８の一部を収納する。第１の電池ホルダー３Ａ及び第２の電池ホルダー３Ｂは、一部収納部７に同じ個数の素電池１を収納しない。一方の電池ホルダー３の一部収納部７には３個、他方の電池ホルダー３の一部収納部７には２個の素電池１が収納される。すなわち、一方の電池ホルダー３（図においては第２の電池ホルダー３Ｂ）の一部収納部７は、他方の電池ホルダー３（図においては第１の電池ホルダー３Ａ）の一部収納部７よりも１個少ない素電池１をセットして、一部収納部７に空収納部４Ｘを設けている。図５、図６、及び図８の電池ブロック２は、電池ホルダー３（図においては第２の電池ホルダー３Ｂ）の中央部、すなわち内部に空収納部４Ｘを配置している。この電池ブロック２は、素電池１による内部の発熱を防止して、各々の素電池１を均一に放熱できる。
【００２８】
図５ないし図８の電池ブロック２は、第１の電池ホルダー３Ａに１３個、第２の電池ホルダー３Ｂに１２個の素電池１をセットするので、各々の電池ホルダー３には１３個の素電池１をセットする収納部４を設けて、５個の収納部４からなる２組の全体収納部６と、３個の収納部４からなる１組の一部収納部７を設けている。第１の電池ホルダー３Ａは、２組の奇数電池ユニット８を構成する１０個の素電池１を２組の全体収納部６に収納して、一部収納部７に３個の素電池１を収納している。第２の電池ホルダー３Ｂは、２組の奇数電池ユニット８を構成する１０個の素電池１を２組の全体収納部６に収納して、一部収納部７に２個の素電池１を収納し、一部収納部７のうちの１個を空収納部４Ｘとしている。第１の電池ホルダー３Ａの一部収納部７にセットされる３個の素電池１と、第２の電池ホルダー３Ｂの一部収納部７にセットされる２個の素電池１は、互いに並列に接続されて１組の奇数電池ユニット８を構成している。第１の電池ホルダー３Ａの一部収納部７にセットされる３個の素電池１と、第２の電池ホルダー３Ｂの一部収納部７にセットされる２個の素電池１は、互いに対向する端面電極がリード板５Ａで接続されると共に、反対側に位置する端面電極に接続されるリード板５Ｂが接続リード１５を介して接続されて、５個の素電池１が互いに並列に接続される。
【００２９】
以上の電池ブロック２は、奇数電池ユニット８を５個の素電池１で構成する。したがって、各々の全体収納部６には５個の素電池１を収納し、一部収納部７は、一方の電池ホルダー３に他方よりも１個少ない素電池１を収納して、両方の電池ホルダー３の一部収納部７に収納する素電池１を加算して５個となるように、すなわち一方に３個、他方に２個の素電池１を収納している。ただし、本発明は、必ずしも奇数電池ユニットを５個の素電池で構成するバッテリパックには特定せず、奇数電池ユニットを構成する素電池の数は、用途に最適な数に特定される。たとえば、奇数電池ユニットを構成する素電池の数は、３個ないし９個の奇数とする。ただし、大電流が要求される用途のバッテリパックは、１１個以上の素電池で奇数電池ユニットを構成することもできる。
【００３０】
以上の電池ブロック２は、第１の電池ホルダー３Ａと第２の電池ホルダー３Ｂに５組の奇数電池ユニット８を収納し、５組の奇数電池ユニット８を直列に接続している。５組の奇数電池ユニット８は、リード板５を直接に連結し、あるいはリード線を介して直列に接続される。以上のように、第１の電池ホルダー３Ａ及び第２の電池ホルダー３Ｂを連結している電池ブロック２は、素電池１を５直５並に接続している。第１の電池ホルダー３Ａ及び第２の電池ホルダー３Ｂは、両方に同じ組数の奇数電池ユニット８を収納し、第１の電池ホルダー３Ａ及び第２の電池ホルダー３Ｂとで１組の奇数電池ユニット８を構成する。したがって、電池ブロック２は、奇数組の奇数電池ユニット８を直列に接続する。さらに、第１の電池ホルダー３Ａ及び第２の電池ホルダー３Ｂに同じ個数の素電池１を収納しないので、奇数個の素電池１が並列に接続される。したがって、電池ブロック２は奇数個の素電池１を並列に接続して、奇数個の奇数電池ユニット８が直列に接続される。
【００３１】
（連結固定具１０）
さらに、図１ないし図３に示すバッテリパックは、複数の電池ブロック２を、連結固定具１０を介して直線状に連結している。図に示す連結固定具１０は、電池ホルダー３の中央部を貫通する連結ロッド１１と、この連結ロッド１１の両端を電池ブロック２の端面に固定する固定具１２とからなる。図に示す連結ロッド１１は金属シャフトで、互いに連結される２個の電池ブロック２を貫通する長さを有している。固定具１２は、連結ロッド１１の両端に連結されて、電池ホルダー３の端面を押圧する一対のリング部材としている。図の固定具１２は、一方のリング部材を、連結ロッド１１の一端に移動しない構造で固定するＥリング１２Ａとし、他方のリング部材を、連結ロッド１１を一方向にのみ移動できるプッシュナット１２Ｂとしている。このプッシュナット１２Ｂは、電池ブロック２を締結する方向には連結ロッド１１を挿入できるが、離れる方向には引き抜きできない構造としている。この連結ロッド１１は、後端にＥリング１２Ａを固定する状態で、先端を２個の電池ブロック２の電池ホルダー３に設けた貫通孔１３に挿通し、反対側から突出する先端部をプッシュナット１２Ｂに挿入して、両端にＥリング１２Ａとプッシュナット１２Ｂを連結する。以上の連結固定具１０は、２個の電池ブロック２を貫通する連結ロッド１１の両端に固定具１２が連結されて、複数の電池ブロック２を両端から挟着する状態で積層状態に締結する。ただ、連結固定具は、必ずしも以上の構造には特定せず、複数の電池ブロックを締結できる他のすべての構造、例えばネジ棒とナット等とすることもできる。
【００３２】
（絶縁シート９）
以上のように、第１の電池ホルダー３Ａと第２の電池ホルダー３Ｂとを連結して電池ブロック２とし、複数の電池ブロック２を直線状に連結するバッテリパックは、図２ないし図６に示すように、対向する電池ホルダー３の境界面に絶縁シート９を介在させて、対向するリード板５がショートしないようにしている。この絶縁シート９には、絶縁性に優れた紙やプラスチックフィルムなどが使用できる。図に示す絶縁シート９は、電池ホルダー３の端面に沿う外形として、電池ホルダー３の端面に配置されるリード板５の表面を覆うことができるようにしている。さらに、図に示す絶縁シート９は、電池ホルダー３の端面に配置する状態で、前述の嵌合凸部１８や嵌合凹部１９、さらには、連結固定具１０の連結ロッド１１や固定具１２を案内する貫通穴９Ａを開口している。この貫通穴９Ａは、嵌合凸部１８や嵌合凹部１９、固定具１２のＥリング１２Ａやプッシュナット１２Ｂを案内できる形状と大きさとしており、この貫通穴９Ａに嵌合凸部１８や固定具１２等を案内する状態で対向する電池ホルダー３の定位置に絶縁シート９を挟着して配置している。
【符号の説明】
【００３３】
１…素電池
２…電池ブロック
３…電池ホルダー            ３Ａ…第１の電池ホルダー
３Ｂ…第２の電池ホルダー
３ａ…セルホルダー
３ｂ…セルホルダー
４…収納部                  ４Ｘ…空収納部
５…リード板                ５Ａ…リード板
５Ｂ…リード板
６…全体収納部
７…一部収納部
８…奇数電池ユニット
９…絶縁シート              ９Ａ…貫通穴
１０…連結固定具
１１…連結ロッド
１２…固定部材              １２Ａ…Ｅリング
１２Ｂ…プッシュナット
１３…貫通孔
１５…接続リード
１６…嵌着凸部
１７…嵌入凹部
１８…嵌合凸部
１９…嵌合凹部
９１…素電池                ９１Ａ…端面電極
９２…電池ブロック
９５…リード板              ９５ｂ…折曲部
９５ｃ…接続片
９８…並列ユニット
【図１】
0005944204.tif 000002
【図２】
0005944204.tif 000003
【図３】
0005944204.tif 000004
【図４】
0005944204.tif 000005
【図５】
0005944204.tif 000006
【図６】
0005944204.tif 000007
【図７】
0005944204.tif 000008
【図８】
0005944204.tif 000009
【図９】
0005944204.tif 000010
【図１０】
0005944204.tif 000011